(57)【特許請求の範囲】
【請求項１】
出隅部分と、この出隅部分を介して隣り合う二つの壁面とで構成される建物の外壁構造であって、前記二つの壁面にそれぞれ互いに異なる外観加工が施された外装材を設置し、前記出隅部分に、一方の壁面の外装材と同じ外観加工が施された一方の側片と、他方の壁面の外装材と同じ外観加工が施された他の側片とを断面Ｌ字状に組み合わせたコーナー部材を、同じ外観加工が施された外装材と側片とが隣接するように設置して成り、前記外観加工は前記外装材及び前記コーナー部材への外観色の付与を含むものであり、前記一方の側片と前記他方の側片との突き合わせ部分に面取り面が形成され、この面取り面に、前記二つの側片のうち前記外観色がより濃色のものと同じ前記外観色が付与されていることを特徴とする建物の外壁構造。
【発明の詳細な説明】
【技術分野】
【０００１】
本発明は、出隅部分と、この出隅部分を介して隣り合う二つの壁面とで構成される建物の外壁構造に関する。
【背景技術】
【０００２】
従来、出隅部分と、この出隅部分を介して隣り合う二つの壁面とで構成される建物の外壁構造においては、外装材を設置するに際し、断面Ｌ字状の部材（コーナー部材）を出隅部分に設置している（特許文献１参照）。
【０００３】
ところで、近年、建物の外観向上の要請から、建物の外壁に種々の外観加工、例えば凹凸加工や塗装による外観色の付与等を施すことにより、多彩な外観を付与することが行われるようになってきており、また、出隅部分を介して隣り合う二つの壁面に、それぞれ異なる外観加工を施すようなことも行われている。このような場合、コーナー部材として一方の壁面と同じ外観加工が施されたものを設置すると、一方の壁面側では外観が統一されたものとなるが、他方の壁面側ではコーナー部材によって外観の不統一が生じてしまうという問題がある。
【０００４】
ここで、特許文献１に記載の発明では、出隅部分を介して隣り合う二つの壁面がそれぞれ同じような外観を有する場合に、コーナー部材として前記壁面とは異なる外観を有するものを設置することで、意図的に外観に変化をつけて意匠性を向上しようとするものであり、外観が異なる各壁面ごとに外観の統一感を付与することで意匠性を向上するものではない。
【特許文献１】特許第３９１８３４３号公報
【発明の開示】
【発明が解決しようとする課題】
【０００５】
本発明は上記の点に鑑みて為されたものであり、出隅部分を介して隣り合う二つの壁面にそれぞれ互いに異なる外観加工が施された外装材を設置する場合に、各外壁面側からみた外壁の外観がそれぞれ統一感を有することで意匠性が向上された建物の外壁構造を提供することを目的とする。
【課題を解決するための手段】
【０００６】
請求項１に係る発明は、出隅部分と、この出隅部分を介して隣り合う二つの壁面とで構成される建物の外壁構造であって、前記二つの壁面にそれぞれ互いに異なる外観加工が施された外装材３ａ，３ｂを設置し、前記出隅部分に、一方の壁面の外装材３ａと同じ外観加工が施された一方の側片２ａと、他方の壁面の外装材３ｂと同じ外観加工が施された他の側片２ｂとを断面Ｌ字状に組み合わせたコーナー部材１を、同じ外観加工が施された外装材３ａ（３ｂ）と側片２ａ（２ｂ）とが隣接するように設置して成ることを特徴とする。
【０００７】
また請求項１に係る発明は、前記外観加工が外装材３ａ，３ｂ及び前記コーナー部材１への外観色の付与を含むものであり、前記一方の側片２ａと前記他方の側片２ｂとの突き合わせ部分に面取り面４が形成され、この面取り面４に、前記二つの側片２ａ，２ｂのうち前記外観色がより濃色のものと同じ前記外観色が付与されていることを特徴とする。
【発明の効果】
【０００８】
請求項１に係る発明によれば、出隅部分を介して隣り合う二つの壁面にそれぞれ異なる外観を付与すると共に、各壁面側から観察した外観にコーナー部材１による不統一感が生じないようにすることができ、建物の外観の意匠性を向上することができる。
【０００９】
また請求項１に係る発明によれば、コーナー部材１に面取り面４を形成する場合に、より濃色な外観色を有する壁面側から観察した場合には全て同じ外観色が観察されて統一感を有し、一方、より淡色な外観色を有する壁面側から観察した場合には、この壁面のコーナー部材１側の端縁には前記面取り面４に付与された濃色な外観色が観察されるが、この濃色な外観色は僅かに見えるだけであり、且つ壁面の輪郭として認識され、外観色の統一感を損なうことがないものである。
【発明を実施するための最良の形態】
【００１０】
以下、本発明を実施するための最良の形態について説明する。
【００１１】
第一の参考形態を図１に示す。本発明に係る建物の外壁構造は、建物の外壁の下地材等（図示省略）に、外装材３ａ，３ｂ及びコーナー部材１を設置したものである。この建物の外壁構造には、建物のベランダにおける壁材で形成された柵の構造も含まれる。
【００１２】
外装材３ａ，３ｂとしては、適宜の材質で形成されたものが使用可能である。例えばセメント系成形材料を成形し、養生硬化して得られる窯業系の外装材３ａ，３ｂを使用することができる。
【００１３】
この外装材３ａ，３ｂは、外壁の出隅部分を介して隣り合う二つの壁面のうち、一方の壁面に設置される外装材３ａと、他方の壁面に設置される外装材３ｂとで、それぞれ異なる外観加工が施されている。このような外観加工には、例えば塗装等による外観色の付与や、凹凸加工等が含まれる。
【００１４】
また、コーナー部材１は、二つの側片２ａ，２ｂの端縁を突き合わせた形状を有する断面Ｌ字状の部材であり、上記外装材３ａ，３ｂと同一の材質で形成することができる。このコーナー部材１はそれぞれ別体として形成された二つの側片２ａ，２ｂにて構成しても良く、また二つの側片２ａ，２ｂが不可分となった一体の部材として成形されたものであっても良い。本参考形態では、二つの側片２ａ，２ｂはそれぞれ別体として形成されている。各側片２ａ，２ｂの一方の側端面は、側片２ａ，２ｂの外面に対して斜め４５°に傾斜する突き合わせ面５ａ，５ｂとして形成されており、二つの側片２ａ，２ｂを突き合わせ面５ａ，５ｂ同士で突き合わせることで断面Ｌ字状のコーナー部材１が構成される。
【００１５】
このコーナー部材１を構成する一方の側片２ａには、上記一方の壁面に設置される外装材３ａと同じ外観加工が施され、他方の側片２ｂには上記他方の壁面に設置される外装材３ｂと同じ外観加工が施される。
【００１６】
これらの外装材３ａ，３ｂ及びコーナー部材１が、建物の外壁の下地材等に設置される。その際、外装材３ａ，３ｂやコーナー部材１と下地材１との間に防水シート等を介在させても良い。また、外装材３ａ，３ｂを設置する際は、複数の外装材３ａ，３ｂを横方向に並べて設置することができる。また、更に必要に応じて上下方向にも複数の外装材３ａ，３ｂを並べて設置すると共に、上下方向に複数のコーナー部材１を並べて設置することもできる。外装材３ａ，３ｂ及びコーナー部材１の設置は適宜の手法で行うことができるが、例えば取付金具等の適宜の支持具（図示省略）を下地材１に固定し、この支持具を介して外装材３ａ，３ｂやコーナー部材１を下地材１に設置することができる。また、隣り合う外装材３ａ（３ｂ）とコーナー部材１との間、及び隣り合う外装材３ａ（３ｂ）同士の間の目地６にコーキング材７を充填するなどしてシーリングを施すこともできる。
【００１７】
このように外装材３ａ，３ｂ及びコーナー部材１を設置する際、上述のように、外壁の出隅部分を介して隣り合う一方の壁面と他方の壁面には、それぞれ互いに異なる外観加工が施された外装材３ａ，３ｂを設置する。そして、外壁の出隅部分にコーナー部材１を、各壁面で側片２ａ（２ｂ）が外装材３ａ（３ｂ）と隣接するように設置する。このとき、一方の壁面に、この壁面に設置されている外装材３ａと同じ外観加工が施された側片２ａを設置し、他方の壁面に、この壁面に設置されている外装材３ｂと同じ外観加工が施された側片２ｂを設置する。
【００１８】
このように外装材３ａ，３ｂ及びコーナー部材１を設置することで、出隅部分を介して隣り合う各壁面では、コーナー部材１の側片２ａ（２ｂ）及び外装材３ａ（３ｂ）に施された外観加工が同一なものとなって統一感のある外観を呈することとなり、また出隅部分を介して隣り合う壁面同士は互いに異なる外観を呈することとなって、建物の外観の意匠性を向上することができる。
【００１９】
また、上記のように側片２ａ，２ｂと外装材３ａ，３ｂとの間の目地６や外装材３ａ，３ｂ同士の間の目地６にコーキング材７を充填する場合には、各壁面ごとに、この壁面に設置されている側片２ａ，２ｂ及び外装材３ａ，３ｂの外観色と同一の色、近似する色、或いは同一系統の色を有するコーキング材７を充填することが好ましい。この場合、壁面の外観の統一感が更に向上する。またこのようにコーキング材７を充填する際、各壁面において側片２ａ（２ｂ）とこの側片２ａ（２ｂ）に隣接する外装材３ａ（３ｂ）の外観色が同一であるため、作業者がこの側片２ａ（２ｂ）と外装材３ａ（３ｂ）との間の目地６にコーキング材７を充填する際にどのような色のコーキング材７を充填すべきか迷うようなことがなく、誤って別の色のコーキング材７を充填してしまうような事態を防止することができる。
【００２０】
本発明の実施形態を図２に示す。本実施形態では、上記第一の参考形態において、コーナー部材１の一方の側片２ａ，２ｂと他方の側片２ａ，２ｂとの突き合わせ部分に面取り面４を形成することで、外壁の出隅部分の角部に欠け等が生じにくいようにしている。また、各壁面に異なる凹凸加工を施す場合に外壁の出隅部分の角部で凹凸模様の不連続が生じることを防止することができる。このとき本実施形態では各側片２ａ，２ｂは別体に形成されているため、各側片２ａ，２ｂの端縁にそれぞれ面取り面４ａ，４ｂを形成し、この面取り面４ａ，４ｂが一体となってコーナー部材１の面取り面４が形成されるようにしている。
【００２１】
この面取り面４には、二つの側片２ａ，２ｂの各外観色のうち、より濃色のものと同じ外観色を付与することが好ましい。この場合、より濃色な外観色を有する外装材３ａが設置された壁面側から建物の外観を観察した場合には、この壁面が全て同じ外観色を有し、統一感を有することとなる。
【００２２】
一方、より淡色な外観色を有する外装材３ｂが設置された壁面側から建物の外観を観察した場合には、この壁面のコーナー部材１側の端縁には面取り面４に付与された濃色な外観色が観察される。しかしながら、この濃色な外観色は僅かに見えるだけであり、且つ壁面の輪郭として認識されるものであり、それ以外の部分はより淡色の統一した外観色を呈することとなる。このため、面取り面４の外観色によって、壁面全体の外観色の統一感が損なわれるようなことはないものである。
【００２３】
第二の参考形態を図３に示す。本参考形態では、上記第一の参考形態において、出隅部分を介して隣り合う壁面のうち、一方の壁面に設置される外装材３ａとして、他方の壁面に設置される外装材３ｂよりも厚みの大きいものを用いている。このとき、前記一方の壁面に設置される外装材３ａにのみ、外観加工として凹凸加工を施している。すなわち、一
方の壁面に設置される外装材３ａには凹凸加工を施すと共に、この外装材３ａの厚みを大きく形成して外装材３ａに充分な強度を付与している。また他方の壁面に設置される外装材３ｂには凹凸加工が施されておらず、そのためこの外装材３ｂの厚みをより小さく形成して省資源化や軽量化を図っている。
【００２４】
このとき、コーナー部材１としては、上記第一の参考形態と同様に二つの側片２ａ，２ｂからなる断面Ｌ字状のものを用いるが、このとき上記厚みの大きい一方の外装材３ａと隣接して設置される一方の側片２ａの厚みは、前記一方の外装材３ａと同じ厚みになるようにし、厚みの小さい他方の外装材３ｂと隣接して設置される他方の側片２ｂの厚みは、前記他方の外装材３ｂの厚みと同じ厚みになるようにする。また、厚みの大きい側片２ａの外面には、厚みの大きい外装材３ａと同じ凹凸加工が施されている。
【００２５】
また、各側片２ａ，２ｂには、第一の参考形態と同様に一方の側端面に突き合わせ面５ａ，５ｂが形成されている。このとき厚みがより小さい方の側片２ｂについては、第一の参考形態と同様に突き合わせ面５ｂが側片２ｂの外面に対して４５°に傾斜し、且つ側片２ｂの外面と突き合わせ面５ｂとの間に４５°の角度の頂部が形成されている。また、厚みがより大きい方の側片２ａについても、第一の参考形態と同様に突き合わせ面５ａが側片２ａの外面に対して４５°に傾斜しているが、この側片２ａの外面と突き合わせ面５ａとの間には、前記外面に対して９０°の角度を有する木口面８が形成されており、このような木口面８を形成することで、各側片２ａ，２ｂの突き合わせ面５ａ，５ｂの幅寸法が同一寸法になるようになっている。
【００２６】
上記外装材３ａ，３ｂ及びコーナー部材１は、上記第一の参考形態の場合と同様に建物の外壁に設置される。このときコーナー部材１を設置する際も、第一の参考形態と同様に一方の側片２ａと他方の側片２ｂの突き合わせ面５ａ，５ｂ同士を突き合わせた状態で設置するが、一方の側片２ａには木口面８が形成されているため、この木口面８が外壁の外面に露出することとなる。
【００２７】
このように構成される建物の外壁構造では、この外壁を厚みがより大きい外装材３ａが設置されている壁面側から観察すると、この壁面が全て同じ外観を呈し、統一感を有することとなる。
【００２８】
また、より厚みが小さい外装材３ｂが設置されている壁面側から外壁を観察すると、この壁面には木口面８が露出するが、この壁面には凹凸加工が施されていないため、木口面８によって外観の統一感が損なわれるようなことがない。また、この壁面にも凹凸加工を施すこともできるが、その場合でも、前記木口面８の幅は、厚みが異なる外装材３ａ，３ｂ同士の厚みの差に等しいため、この幅寸法はそれほど大きくなることはなく、このため木口面８によってこの壁面の外観の統一感が損なわれるようなことはない。また、各外壁に異なる外観色を付与する場合には、木口面８の外観色が他の部分とは異なる外観色となるが、その場合でも、この木口面８の幅寸法はそれほど大きくないため、外観の統一感が損なわれるようなことはない。また、より厚みが大きい外装材３ａ及びこの外装材３ａに隣接して設置される側片２ａの外観色を、より厚みの小さい外装材３ｂ及びこの外装材３ｂに隣接して設置される側片２ｂの外観色よりも濃色になるようにすれば、木口面８の濃色な外観色は壁面の輪郭として認識されることとなって、外観の統一感が更に損なわれなくなる。
【００２９】
また、上記本発明の実施形態のようにコーナー部材１に面取り面４を形成する場合や、第二の参考形態のようにコーナー部材１に木口面８が露出するような場合には、本発明の実施形態における淡色の外観を呈する壁面や、第二の参考形態における木口面８が露出する壁面を、建物の比較的目立たない箇所に形成することで、外壁の外観の統一感を更に向上することができる。例えば建物のベランダにおける柵を上記外壁構造のように形成する場合に、このベランダの側面側に本発明の実施形態における淡色の外観を呈する壁面や、第二の参考形態における木口面８が露出する壁面を形成することができる。
【図面の簡単な説明】
【００３０】
【図１】第一の参考形態の概略を示すものであり、（ａ）は一部破断した斜視図、（ｂ）は断面図である。
【図２】本発明の実施形態の概略を示すものであり、（ａ）は一部破断した斜視図、（ｂ）は断面図である。
【図３】第二の参考形態の概略を示すものであり、（ａ）は一部破断した斜視図、（ｂ）は断面図である。
【符号の説明】
【００３１】
１    コーナー部材
２ａ  側片
２ｂ  側片
３ａ  外装材
３ｂ  外装材
４    面取り面
【図１】
0005074890.tif 000002
【図２】
0005074890.tif 000003
【図３】
0005074890.tif 000004